(57)【要約】【課題】レンズやレンズ枠の寸法が所定値通りでなくてもレンズのガタツキを防止することができるルーペを提供すること。【解決手段】レンズ３と、このレンズ３の外周面３１に接触し、レンズ３を保持する環状のホルダ部５１を有するレンズ枠５とを備えたルーペにおいて、窪み５４，５５をホルダ部５１の内周面５３に形成し、窪み５４，５５と嵌合する突起部３２，３３をレンズ３の外周面３１に周方向に沿って間隔をあけて形成し、突起部３３の外周面３３ａに圧接する複数のリブ５６を窪み５５内に設けた。【選択図】　　　　図１
2004053787.tif 000002
【特許請求の範囲】
【請求項１】
レンズと、このレンズの外周面に接触し、前記レンズを保持する環状のホルダ部を有するレンズ枠とを備えたルーペにおいて、
前記ホルダ部の内周面に形成された窪みと、
前記レンズの外周面に周方向に沿って間隔をあけて形成され、前記窪みと嵌合する複数の突起部とを備え、
前記窪み内に前記突起部に圧接するリブが設けられていることを特徴とするルーペ。
【請求項２】
請求項１項記載のルーペの製造方法において、
前記ホルダ部を弾性変形可能な程度に加熱する加熱工程と、
加熱された前記ホルダ部の前記窪みに前記レンズの前記突起部を嵌め込むレンズ嵌込み工程と
を含むことを特徴とするルーペの製造方法。
【発明の詳細な説明】
【０００１】
【発明の属する技術分野】
この発明はルーペに関する。
【０００２】
【従来の技術】
従来のルーペはレンズとレンズ枠とを備える。レンズ枠はレンズを保持する環状のホルダ部を有する。ホルダ部の内周面には周方向に沿った溝が形成されている。この溝にレンズの外周縁を嵌め込むことにより、レンズはレンズ枠のホルダ部に保持される。
【０００３】
【発明が解決しようとする課題】
上述のように従来のルーペでは、レンズの外周縁をレンズ枠のホルダ部の溝に嵌め込む構造が採用されているので、レンズの外周縁の厚さ寸法が所定値よりも小さいか或いは溝の幅寸法が所定値よりも大きいと、レンズをホルダ部に嵌め込んだ後にガタが生じるという問題があった。
【０００４】
この発明はこのような事情に鑑みてなされたもので、その課題はレンズやレンズ枠の寸法が所定値通りでなくてもレンズのガタツキを防止することができるルーペを提供することである。
【０００５】
【課題を解決するための手段】
前述の課題を解決するため請求項１の発明のルーペは、レンズと、このレンズの外周面に接触し、前記レンズを保持する環状のホルダ部を有するレンズ枠とを備えたルーペにおいて、前記ホルダ部の内周面に形成された窪みと、前記レンズの外周面に周方向に沿って間隔をあけて形成され、前記窪みと嵌合する複数の突起部とを備え、前記窪み内に前記突起部の外周面に圧接する複数のリブが設けられていることを特徴とする。
【０００６】
請求項２の発明は、請求項１項記載のルーペの製造方法において、前記ホルダ部を弾性変形可能な程度に加熱する加熱工程と、加熱された前記ホルダ部の前記窪みに前記レンズの前記突起部を嵌め込むレンズ嵌込み工程とを含むことを特徴とする。
【０００７】
【発明の実施の形態】
以下、この発明の実施の形態を図面に基づいて説明する。
【０００８】
図１はこの発明の一実施形態に係るルーペの正面図、図２はレンズの正面図、図３はレンズホルダの断面図、図４はレンズ及びレンズ枠の寸法が所定値通りのルーペの図１のＡ−Ａ線に沿う断面図、図５はレンズの厚さ寸法が所定値よりも小さいルーペの図１のＡ−Ａ線に沿う断面図である。
【０００９】
このルーペはレンズ３とレンズ枠５と柄７とで構成されている。
【００１０】
レンズ３は例えばアクリル樹脂からなる凸レンズである。レンズ３の外周面３１には周方向へ等間隔に２つの突起部３２，３３が形成されている。
【００１１】
レンズ枠５はホルダ部５１と首部５２とを有する。
【００１２】
ホルダ部５１は環状であり、レンズ３を保持する。ホルダ部５１の内周面５３には周方向へ等間隔に２つの窪み５４，５５が形成されている。窪み５４，５５の周方向の長さは突起部３２，３３の周方向の長さよりも若干大きい。ルーペ組立時、突起部３２，３３は窪み５４，５５に嵌合される。
【００１３】
ホルダ部５１の内径は、ホルダ部５１の厚さ方向中間部で最も小さく、この中間部から端に行くほど大きくなる。
【００１４】
一方の窪み５５内には複数のリブ５６が設けられている。リブ５６はホルダ部５１に一体に形成され、ホルダ部５１の厚さ方向へ延びている。リブ５６は突起部３３が窪み５５に嵌合したとき、突起部３３の外周面３３ａ（図４，５参照）に圧接する。
【００１５】
首部５２はほぼ軸状であり、ホルダ部５１の下部に一体に設けられている。
【００１６】
柄７は棒状であり、ポリカーボネイト樹脂で首部５２の下部に一体に設けられている。
【００１７】
次に、このルーペの製造方法について説明する。
【００１８】
このルーペの製造方法は加熱工程とレンズ嵌込み工程とを有する。
【００１９】
加熱工程では、ホルダ部５１の温度が７０〜８０℃になるように、レンズ枠５を加熱器（図示せず）内に通し、ホルダ部５１を加熱する。
【００２０】
加熱工程が完了したら直ぐにレンズ嵌込み工程に移る。
【００２１】
レンズ嵌込み工程では、まず、レンズ３の突起部３２をレンズ枠５の窪み５４に入れる。
【００２２】
次に、レンズ３の厚さ方向へレンズ３を押し込み、突起部３３をレンズ枠５の窪み５５に嵌め込む。
【００２３】
このとき、ホルダ部５１は加熱されて、弾性変形しやすくなっているので、突起部３３は容易に窪み５５に嵌合する。突起部３３が窪み５５に嵌合すると、図４，５に示すように、加熱されて軟化したリブ５６は突起部３３により二点鎖線で示す状態から実線で示す状態まで押し潰される。この結果、リブ５６は突起部３３の外周面３３ａに圧接する。
【００２４】
このようにして、全ての突起部３２，３３が窪み５４，５５に嵌め込まれてレンズ３がレンズ枠５に保持される。
【００２５】
次に、この実施形態の効果について説明する。
【００２６】
図４に示すように、レンズ３の外周縁の厚さ寸法及びレンズ枠５の窪み５４，５５の幅が所定値通りであると、レンズ３の突起部３２，３はそれぞれ窪み５４，５５に隙間無く嵌り、レンズ３がガタツクことは無い。
【００２７】
これに対し、図５に示すように、レンズ３の外周縁の厚さ寸法が所定値よりも小さいと、突起部３２，３３と窪み５４，５５との間に隙間が生じる。しかし、リブ５６が突起部３３の外周面３３ａに圧接しているので、突起部３２が窪み５４の内面に押し付けられ、このリブ５６と突起部３３との圧接及び突起部３２と窪み５４との圧接によりレンズ３のガタツキが防止される。
【００２８】
また、この実施形態のルーペでは、一方の突起部３２を一方の窪み５４に嵌め、その後、他方の突起部３３を他方の窪み５５に押し込むことによってレンズ３をレンズ枠５に固定するようになっているが、レンズ３の突起部３３を突起部３２より短くし、ホルダ部５１に挿入時に傷がつかない寸法に設計してあり、従来のものに較べホルダ部５１の傷付く範囲を狭くすることができる。したがって、この実施形態のルーペの外観が損われず、商品価値を高めることができる。
【００２９】
更に、この実施形態のルーペの製造方法によれば、レンズ嵌込み工程の前に加熱工程が行われるので、レンズ３の突起部３３をホルダ部５１の窪み５５に嵌め込むときにホルダ部５１が十分に弾性変形し、ホルダ部５１の内周面５３が逃げやすくなっているため、突起部３３を窪み５５に容易に嵌め込むことができ、しかもホルダ部５１にできる傷の範囲がより一層小さくなる。
【００３０】
また、加熱工程を行うことによってリブ５６が軟化し、突起部３３に押し潰され易くなるので、リブ５６の高さを加熱工程を行わない場合よりも高くすることができる。このため、レンズ３の径が所定値よりも小さくてもより確実にレンズ３のガタツキを防止できる。
【００３１】
なお、この実施形態ではレンズ３の外周面３１に２つの突起部３２，３３を等間隔に形成したが、突起部の数は３つ以上でもよく、突起部を３つ以上設ける場合、突起部は必ずしも一定間隔に形成する必要はない。
【００３２】
また、この実施形態では、突起部３２，３３に対応させてホルダ部５１の内周面５３に２つの窪み５４，５５を形成したが、窪みは必ずしも突起部に対応させる必要はなく、ホルダ部５１の内周面５３の全周にわたって一つの窪みを形成するようにしてもよい。但し、その場合、突起部３２，３３の少なくとも一方の突起部にリブ５６が圧接するようにする。
【００３３】
なお、この実施形態ではレンズ枠５と柄７とを一体成形したが、別々に成形してもよい。
【００３４】
また、レンズ３の材質としてはアクリル樹脂に限られず、ガラス等でもよい。
【００３５】
なお、レンズ枠５の材質としてはポリカーボネイト樹脂に限られず、ＡＢＳ樹脂等でもよい。
【００３６】
また、レンズ嵌込み工程の前に加熱工程が行われるのが好ましいが、必ずしも加熱工程を行う必要はない。
【００３７】
【発明の効果】
以上説明したようにこの発明のルーペによれば、レンズやレンズ枠の寸法が所定値通りでなくてもレンズのガタツキを防止することができる。
【図面の簡単な説明】
【図１】図１はこの発明の一実施形態に係るルーペの正面図である。
【図２】図２はレンズの正面図である。
【図３】図３はレンズホルダの断面図である。
【図４】図４はレンズ及びレンズ枠の寸法が所定値通りのルーペの図１のＡ−Ａ線に沿う断面図である。
【図５】図５はレンズの厚さ寸法が所定値よりも小さいルーペの図１のＡ−Ａ線に沿う断面図である。
【符号の説明】
３　レンズ
５　レンズ枠
３１　外周面
３２，３３　突起部
３３ａ　外周面
５１　ホルダ部
５３　内周面
５４，５５　窪み
５６　リブ
【図１】
2004053787.tif 000003
【図２】
2004053787.tif 000004
【図３】
2004053787.tif 000005
【図４】
2004053787.tif 000006
【図５】
2004053787.tif 000007